(57)【要約】【課題】少ない工程でコンクリート型枠の解体作業を行えるようにする。【解決手段】取付孔が形成されたせき板の内側面から該取付孔を通りせき板の外側面に突出するように形成される締結受部と、前記締結受部に固定される前記せき板の内側面を支持する内側面挟持部と、この内側面挟持部の内側に形成される型枠間隔保持具の雄ネジに係合する雌ネジ部とを有する内側型枠取付具と、前記せき板の外側面から前記締結受部に締結する被締結部と、当該被締結部に固定される前記内側面挟持部とともに前記せき板を挟持する外側面挟持部と、前記被締結部に固定される胴部と、当該胴部に形成される所定の工具が係合する工具係合部とを有する外側型枠取付具とからなる型枠取付具において、前記内側面狭持部と前記外側面狭持部とによる前記せき板の狭持力を緩めた状態で、前記前記締結受部と被締結部とは前記せき板に垂直な軸周りに互いに回動不能に締結し得るように形成する。【選択図】  図１
2010037933.tif 000002
【特許請求の範囲】
【請求項１】
貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する内側型枠取付具と、
前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する外側型枠取付具と
を有する型枠取付具において、
前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し得るものである
型枠取付具。
【請求項２】
前記締結受部と前記被締結合部とのそれぞれには、両者の締結状態で重なり連通する第一貫通孔および第二貫通孔とが形成され、
当該重なった第一貫通孔および第二貫通孔を貫き係合固定する締結材により前記締結受部と被締結部とは前記せき板に垂直な軸周りに互いに回動不能に締結するものである請求項１に記載の型枠取付具。
【請求項３】
前記締結材は前記外側狭持部を兼ねるものである請求項２に記載の型枠取付具。
【請求項４】
前記締結材は、外側及び／又は内側に傾斜面を有するくさびにより形成される請求項２又は３に記載の型枠取付具。
【請求項５】
前記締結材は、前記第一貫通孔および第二貫通孔を貫く本体棒材と、本体棒材の基端側に固定される、弾性体により前記内側取付具又は外側取付具の一部に係合するクリップ部材とから構成される請求項２から４のいずれか１項に記載の型枠取付具。
【請求項６】
前記締結受部と前記被締結部とは、いずれか一方が円形でない断面形状を持つ突部であり、他方が当該断面形状を有する穴部であることにより、前記せき板に垂直な軸周りに互いに回動不能に締結するものである請求項１に記載の型枠取付具。
【請求項７】
前記内側枠取付具の前記締結受部の外周位置には、前記せき板の取付孔からせき板の外面側に突出する狭持用雄ネジ部が形成され、
前記外側枠取付具の前記胴部に当該狭持用雄ネジ部に係合する、前記外側面狭持部と一体に形成されるユニオンナットが固定され、
当該狭持用雄ネジ部と当該ユニオンナットとを締結することで前記挟持固定状態となり、また、当該狭持用雄ネジ部と当該ユニオンナットとの締結を緩めることで、前記挟持解放状態となるものである請求項１又は６に記載の型枠取付具。
【請求項８】
請求項１から７のいずれか１項に記載の型枠取付具を用いたコンクリート型枠工法であって、
型枠間隔保持具の雄ネジを前記雌ネジ部に係合させ、さらに、前記締結受部と、前記被締結部を前記取付穴を挟むように締結させ、前記内側面挟持部と外側面挟持部とにより前記せき板を挟んで前記挟持固定状態としながらコンクリート型枠を組み立てる型枠組み立て工程と、
型枠組み立て工程の後で、コンクリート型枠にコンクリートを打設し、コンクリート躯体を形成するコンクリート打設工程と、
コンクリート打設工程の後で、前記内側面狭持部と外側面狭持部とによる前記せき板への挟持力を緩めて前記挟持解放状態とする狭持解放工程と、
狭持解放工程の後で、前記外側型枠取付具の工具係合部に前記所定の工具を係合させて、前記外側型枠取付具およびこれに係合している内側型枠取付具を、前記内側型枠取付具の雌ネジ部と前記型枠間隔保持具の雄ネジとが離れる方向に回動させることで、前記せき板を型枠取付具とともに取り外す型枠除去工程と
を有するコンクリート型枠工法。
【発明の詳細な説明】
【技術分野】
【０００１】
本発明は、コンクリート型枠工事に用いられる型枠の組み立て及び解体に用いられる型枠取付具およびこれを用いたコンクリート型枠工法に関する。
【背景技術】
【０００２】
従来のコンクリート型枠工法の型枠の解体工事においては、コンクリート硬化後に端太材を解体して、端太材を支持するフォームタイなどの型枠取付具を取り外し、さらに、型枠パネルをコンクリート躯体からとりはずし、その後、多くの場合プラスチックコーンを取り外して作業が完了する。
【発明の開示】
【発明が解決しようとする課題】
【０００３】
上述のように、型枠の解体工事には、多くの手順が存在するため、労力がかかり、作業も煩雑である。本発明は、このような問題に鑑みて、少ない工程でコンクリート型枠の解体作業を行えるようにすることを課題とする。
【課題を解決するための手段】
【０００４】
上記課題を解決するために、本発明は次のような構成を有する。
請求項１に記載の発明は、内側型枠取付具と外側型枠取付具とを有する型枠取付具である。内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の端太材支持具を固定する構造をもつ端太材支持具固定部とを有する。そして、前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記前記締結受部と被締結部とは前記せき板に垂直な軸周りに互いに回動不能に締結し得るように形成される。なお、本願において「内側」とはせき板に取り付けたときに、コンクリートが打設される側であるせき板の内側に向かう方向を意味し、「外側」とは、せき板に取り付けたときに、せき板の外側に向かう方向を意味する。
【０００５】
請求項２に記載の発明は、前記型枠取付具において、前記締結受部と前記被締結合部とのそれぞれには、両者の締結状態で重なり連通する第一貫通孔および第二貫通孔とが形成され、当該重なった第一貫通孔および第二貫通孔を貫き係合固定する締結材により前記締結受部と被締結部とは前記せき板に垂直な軸周りに互いに回動不能に締結するものである。
請求項３に記載の発明は、請求項２に記載の型枠取付具において、前記締結材は前記外側面狭持部を兼ねるものである。
請求項４に記載の発明は、請求項２又は３に記載の型枠取付具において、前記締結材は、外側及び／又は内側に傾斜面を有するくさびにより形成されるものである。
請求項５に記載の発明は、請求項２から４のいずれか１項に記載の型枠取付具において、前記締結材は、前記第一貫通孔および第二貫通孔を貫く本体棒材と、本体棒材の基端側に固定される、弾性体により前記外側型枠取付具もしくは前記内側型枠取付具の一部に係合するクリップ部材とから構成されるものである。
【０００６】
請求項６に記載の発明は、請求項１に記載の型枠取付具において、前記締結受部と前記被締結部とは、いずれか一方が円形でない断面形状を持つ突部であり、他方が当該断面形状を有する穴部であることにより、前記せき板に垂直な軸周りに互いに回動不能に締結するものである。
請求項７に記載の発明は、前記型枠取付具において、前記内側枠取付具の前記締結受部の外周位置には、前記せき板の取付孔からせき板の外面側に突出する狭持用雄ネジ部が形成され、前記外側枠取付具の前記胴部に当該狭持用雄ネジ部に係合する、前記外側面狭持部と一体に形成されるユニオンナットが固定され、当該狭持用雄ネジ部と当該ユニオンナットとを締結することで前記挟持固定状態となり、また、当該狭持用雄ネジ部と当該ユニオンナットとの締結を緩めることで、前記挟持解放状態となるものである。
【０００７】
請求項８に記載の発明は、前記型枠取付具を用いたコンクリート型枠工法であり、型枠組み立て工程、コンクリート打設工程、狭持解放工程及び型枠除去工程を有する。型枠組み立て工程は、型枠間隔保持具の雄ネジを前記雌ネジ部に係合させ、さらに、前記締結受部と、前記被締結部を前記取付穴を挟むように締結させ、前記内側面挟持部と外側面挟持部とにより前記せき板を挟んで前記挟持固定状態としながらコンクリート型枠を組み立てる工程である。コンクリート打設工程は、型枠組み立て工程の後で、コンクリート型枠にコンクリートを打設し、コンクリート躯体を形成する工程である。狭持解放工程は、コンクリート打設工程の後で、前記内側面狭持部と外側面狭持部とによる前記せき板への挟持力を緩めて前記挟持解放状態とする工程である。型枠除去工程は、狭持解放工程の後で、前記外側型枠取付具の工具係合部に前記所定の工具を係合させて、前記外側型枠取付具およびこれに係合している内側型枠取付具を、前記内側型枠取付具の雌ネジ部と前記型枠間隔保持具の雄ネジとが離れる方向に回動させることで、前記せき板を型枠取付具とともに取り外す工程である。
【発明の効果】
【０００８】
請求項１に記載の発明は、端太材が取り付けられる外側型枠取付具と、型枠間隔保持具が取り付けられる内側型枠取付具とにより型枠のせき板を挟持固定し、コンクリートを打設しコンクリート躯体を形成した後の型枠解体工事において、端太材を取り外して、挟持解放状態とした後に、工具係合部に所定の工具を係合させて所定方向に回転させると、外側型枠取付具とこれに回動不能に締結している内側型枠取付具が回動して、内側型枠取付具の雌ネジ部が型枠間隔保持具の雄ネジから離れるように回転し、この結果、内側型枠取付具は型枠パネルを剥がす方向に移動することとなり、型枠取付具とともに型枠パネルをコンクリート躯体から引き剥がすことができる。即ち、従来よりも少ない工程で型枠の解体作業を行うことができる。
【０００９】
請求項２に記載の発明は、締結材により内側型枠取付具と外側型枠取付具とが分離しないので、外側型枠取付具を介して内側型枠取付具を回転させる際に作業性がよい。
請求項３に記載の発明は、前記締結材が前記外側面狭持部を兼ねるので、別途外側面狭持部を設ける必要をなくすことができる。
請求項４に記載の発明は、締結材を外側及び／又は内側に傾斜面を有するくさびにより形成することで、締結材を入れる深さに応じて内側型枠取付具と外側型枠取付具とが近づく方向へ力を付与することができ、狭持力を増すことができる。
請求項５に記載の発明は、締結材にクリップ部材を設けることで締結材を安定して外側型枠取付具又は内側型枠取付具に固定することができる。また、型枠取付具を型枠から取り外して保管や運搬をする際に、締結材を外側型枠取付具又は内側型枠取付具に取り付けておくことができ、利便性が高い。
【００１０】
請求項６に記載の発明は、円形断面でない互いに係合する突部と穴部とにより係合することで前記締結受部と前記被締結部とを回動不能に締結させるので、締結材を用いる場合のように他の部材を要することなく、回動作業を行うことができる。また、外側型枠取付具を取り外した後でも、締結受部側の突部もしくは穴部に係合する工具があれば、内側型枠取付具を回動させて、型枠を取り外すことができる。
請求項７に記載の発明は、内側型枠取付具に形成される狭持用雄ネジ部に係合する、ユニオンナットが外側型枠取付具に設けられ、これが外側面狭持部と一体に形成されることで、内側型枠取付具と外側型枠取付具との締結時および解放時に、ユニオンナットは外側型枠取付具に固定されているので作業性がよい。
請求項８に記載の発明は、型枠の解体作業時に、外側型枠取付具を回動させれば型枠取付具とともに型枠パネルをコンクリート躯体から引き剥がすことができるので、作業工程を簡易にすることができる。
【発明を実施するための最良の形態】
【００１１】
以下、本発明の実施の形態について、図面を参照しながら説明する。
（実施形態１）
図１に実施形態１に係る型枠取付具Ｘの斜視図を示す。型枠取付具Ｘは、内側型枠取付具１０、外側型枠取付具２０とから構成される。内側型枠取付具１０と外側型枠取付具２０とはそれぞれ型枠パネルのせき板Pを内側と外側とから挟んでせき板Pを固定するものである。
内側型枠取付具１０は、締結受部１１、内側面狭持部１２、雌ネジ部１３とから構成される。締結受部１１は、せき板Pに設けられた取付穴Pａの内側面から当該取付孔Pａを通りせき板の外側面に突出する断面六角形の柱状体であり、一組の対向面を貫く第一貫通孔１１ａが形成されている。内側面狭持部１２は、内側が小さくなるような円錐台状に形成され、外側面の中心に締結受部１１の端部が固定されている。また、内側面狭持部１２の外側面の外径はせき板Ｐの取付穴Ｓａよりも大きく形成される。雌ネジ部１３は、内側面狭持１２の内側面の中央に設けられる、型枠間隔保持具となるセパレーターＳの雄ネジが係合する雌ネジにより形成される。
【００１２】
外側型枠取付具２０は、被締結部２１、胴部２２、工具係合部２３、端太材支持具固定部２４とから構成される。胴部２２は円柱状であって外側型枠取付具２０の本体を形成する。工具係合部２３は、胴部２２の外側端部に形成されるボックスレンチやスパナが係合する断面六角形の柱状体である。端太材支持具固定部２４は、端太材を固定するための端太材支持具Ｔを胴部２２に固定するための構造部分であり、ここでは、端太材支持具Ｔを胴部２２外周に嵌合させて抜けないようにクサビＴａを打ち込むための貫通した孔により端太材支持具固定部２４が形成される。なお、端太材支持固定部の構成は、従来の一般的なフォームタイの構成を転用すればよく、種々の構成を採用することができる。
被締結部２１は、胴部２２の内側端部に形成される内側型枠取付具１０の締結受部１１が嵌合する六角柱が収まる穴から構成される。また、胴部２２の被締結部２１の外周を覆う表面には、被締結部２１に締結受部１１が嵌合した際に、締結受け部１１の第一貫通孔１１ａに重なる位置に、第二貫通孔２１ａが形成される。この重なった第一貫通孔１１と第ニ貫通孔２１ａに外側に傾斜を有するクサビ状の締結材２１ｂが挿入されることで、締結受部１１と被締結部２１とは不可分に固定される。図２に内側型枠取付具１０と外側型枠取付具２０とをせき板Ｐを挟んで締結させ、締結材２１ｂを第一貫通孔１１ａ及び第二貫通孔２１ａ挿入した状態を示す部分縦断面図を示す。図に示すように第一貫通孔１１ａと第二貫通孔２１ａの位置は締結材２１ｂの内側縁部がせき板Ｐの外側面に当接するような位置に形成される。締結材２１ｂはクサビ状なので、締結材２１ｂが深く入ると内側型枠取付具１０は外側に引っ張られ、内側型枠取付具１０の内側面狭持部１２の外側面と締結材２１ｂの内側縁とは互いに近づく方向に力が発生し、これによりせき板Ｐを狭持する。即ち、締結材２１ｂはせき板Ｐの外側面を狭持する外側面狭持部を形成し、締結材２１ｂを打ち込むことで、せき板への狭持力を付与した状態で固定する狭持固定状態とすることができ、締結材２１ｂを抜く方向へ移動させることで、狭持力を緩めて狭持を解いた狭持解放状態とすることができる。そして、狭持解放状態において、締結受部１１と被締結部２１とは非円形断面の凸部と凹部で嵌合しているので、両者はせき板にほぼ垂直な軸回りに回動不能に締結された状態となる。さらに、締結材２１ｂを完全に抜かない場合は、締結材２１ｂによっても締結受部１１と被締結部２１とはせき板にほぼ垂直な軸回りに回動不能に締結されることとなる。
【００１３】
次に、以上のような構成を有する型枠取付具Ｘを使用した型枠工法について説明する。まず、セパレーターＳの雄ネジに予め内側型枠取付具１０の雌ネジ部１３を係合させることで、セパレーターＳに内側型枠取付具１０を固定しておく。この状態で、型枠パネルを立て、せき板Pの内側から取付穴Ｐａに内側型枠取付具１０の締結受部１１を通し、この締結受部１１にせき板Ｐの外側から外側型枠取付具２０の被締結部２１を係合させて、重なり合う第一貫通孔１１ａおよび第二貫通孔２１ａに締結材２１ｂを打ち込んで狭持固定状態としながら、型枠取付具Ｘにせき板Ｐを固定する。このような作業をすべての取付穴Ｐａに対して行うことで、コンクリート型枠を組み立てていく（型枠組み立て工程）。コンクリート型枠の組み立てが完了したら、外側型枠取付具２０の胴部２２の後端側から端太材支持具Ｔを差し入れて端太材を支持し、クサビＴａを外側型枠取付具２０の端太材支持具固定部２４に打ち込んで、端太材支持具Ｔ及び端太材を固定してコンクリート型枠を補強する（型枠補強工程）。この状態でコンクリートをコンクリート型枠に打設養生し、コンクリート躯体を形成する（コンクリート打設工程）。コンクリートが硬化したら、クサビＴａを外して端太材を取り除く。そして、締結材２１ｂを取り外すか緩めて狭持解放状態とし（狭持解放工程）、この状態で、外側型枠取付具２０の工具係合部にボックスレンチなどを挿入して、外側型枠取付具２０及びこれに締結している内側型枠取付具１０を回転させる。回転方向は、内側型枠取付具１０の雌ネジ部１３とセパレーターＳの雄ネジとが離れる方向であり、これにより、型枠パネルを構成するせき板ＰはセパレーターＳから引き離されることとなり、コンクリート躯体から離れることとなる。なお、一つの型枠取付具Ｘを一度にセパレーターＳから分離させるか、複数の型枠取付具Ｘを少しずつ動かしながら、セパレーターＳを型枠取付具Ｘから分離させるかは、せき板の可撓性や、雌ネジ部１３の深さに応じて適宜選択される。このような動作により、せき板と型枠取付具Ｘはコンクリート躯体から取り外されることとなる（型枠除去工程）。その後、取り外した型枠から、内側型枠取付具１０と外側型枠取付具２０を取り外して作業は完了する。
このように、型枠取付具Ｘを用いた型枠工法では、型枠取付具と型枠を同時にコンクリート躯体から取り外すことができるので、作業工程が少なくなり、労力の低減を図ることができる。
【００１４】
（実施形態２）
図３に実施形態２に係る型枠取付具Ｙの分解斜視図を示す。実施形態２に係る型枠取付具Ｙと実施形態１に係る型枠取付具Ｘとの相違点は、内側型枠取付具１０Ａの締結受部１１Ａ側を穴として、外側型枠取付具２０Ａの被締結部２１Ａを柱状としている点である。その他の点は実施形態１に係る型枠取付具Ｘと同一なので説明は省略する。
内側型枠取付具１０Ａの締結受部１１Ａは内側面狭持部１２の外面側に固定される、せき板Ｐの取付穴Ｐａが嵌合できる外径を有する円柱体であり、外面側に断面六角形の穴１１Ａａが設けられている。外側型枠取付具２０Ａの被締結部２１Ａは、締結受部１１Ａの穴１１Ａａに係合する形状を有する六角柱状であり、胴部２２の内側面に設けられる。なお、締結受部１１Ａはせき板Ｐの内側面から外側面に突出する長さを有し、外側面から突出した位置に実施形態１に係る型枠取付具Ｘと同様に第一貫通孔１１Ａｂが形成され、これに対応して、被締結部２１Ａにも締結受部１１Ａと係合した状態で重なる第ニ貫通孔２１Ａａが形成されている。図４にせき板Pを挟んで、内側型枠取付具１０Ａの締結受部１１Ａと、外側型枠取付具２０Ａの被締結部２１Ａとを係合させ、締結材２１ｂを第一貫通孔１１Ａｂ、第二貫通孔２１Ａａに打ち込んで締結した状態の部分拡大縦断面図を示す。
以上のような構成を有する型枠取付具Ｙの使用方法は実施形態１に係る型枠取付枠Ｘの使用方法と同様である。型枠取付具Ｙは内側型枠取付具１０Ａの締結受部１１Ａがせき板Ｐの取付穴Ｐａに嵌合するので、型枠の組み立てがしやすいという利点を有する。
【００１５】
（実施形態３）
図５に実施形態３に係る型枠取付具Ｚの分解斜視図を示す。実施形態３に係る型枠取付具Ｚと実施形態１に係る型枠取付具Ｘとの相違点は、内側型枠取付具１０Ｂの締結受部１１Ｂが円柱状であり、外側型枠取付具２０Ｂの被締結部２１Ｂを円形断面を有する穴としている点、外側型枠取付具２０Ｂに外側面挟持部２５を別途設け、締結材に外側面挟持部としての役割を持たせていない点、締結材２１Ｂｂにクリップ部材２１Ｂｂｂが設けられている点である。その他の点は実施形態１に係る型枠取付具Ｘと同一なので説明は省略する。
【００１６】
内側型枠取付具１０Ｂの締結受部１１Ｂは、断面形状が円形となっている以外は、実施形態１に係る締結受部１１と同様である。外側型枠取付具２０Ｂの胴部２２の内側端部は先端側に向かって太くなり、端面がせき板Ｐの取付穴Ｐａに通らない程度の外形を持つフランジ状となることで外側からせき板Ｐ面を押圧する外側挟持部２５を形成する。締結材２１Ｂｂは、クサビ状の本体棒材２１Ｂｂａと、本体棒材２１Ｂｂａの基端部から先端側へと折れ曲がり、さらに胴部２２の内側端部外周に係合するように円弧状に曲げられたクリップ部材２１Ｂｂｂとから構成される。締結材２１Ｂｂはばね鋼のような高い弾性を有する素材により形成されることでクリップ部材２１Ｂｂｂに狭持力を付与している。図６にせき板Ｐを挟んで、内側型枠取付具１０Ｂの締結受部１１Ｂと、外側型枠取付具２０Ｂの被締結部２１Ｂとを係合させ、締結材２１Ｂｂを第一貫通孔１１Ｂａ、第二貫通孔２１Ｂａに打ち込んで締結した状態の部分拡大縦断面図を示す。また、図７に図６のＡ−Ａ断面図を示す。図に示すように、締結材２１Ｂｂがクサビ状になっていることで、内側型枠取付具１０Ｂはせき板Ｐ側に引っ張られることとなり、これにより内側面狭持部１２と外側面狭持部２５とによりせき板Ｐは狭持固定される。また、図７に示すように締結材２１Ｂｂのクリップ部材２１Ｂｂｂが胴部２２の内側端部外周に係合することで、締結材２１Ｂｂが緩むことなく、安定して固定される。また、締結材２１Ｂｂの位置により、狭持固定状態および狭持解放状態となるが、狭持解放状態において締結材２１Ｂｂを完全に抜いてしまうと、締結受部１１Ｂと被締結部２１Ｂとは円形断面の凸部と凹部で嵌合しているので、両者はせき板Ｐにほぼ垂直な軸回りに自在に回動できることとなる。しかし、締結材２１Ｂｂを第一貫通孔１１Ｂａおよび第二貫通孔内２１Ｂａに残しておけば、狭持解放状態において締結材２１Ｂｂにより締結受部１１Ｂと被締結部２１Ｂとはせき板Ｐにほぼ垂直な軸回りに回動不能に締結した状態を維持することができる。
【００１７】
以上のような構成を有する型枠取付具Ｚの使用方法は実施形態１に係る型枠取付枠Ｘの使用方法とほぼ同様であるが、狭持解放工程において締結材２１Ｂｂは取り外さずに、第一貫通孔１１Ｂａ、第二貫通孔２１Ｂａ内に残すようにする。この際、クリップ部材２１Ｂｂｂの少し曲がった下端部で胴部２２の内側端部外周を挟むようにすることで、安定させることができる。型枠取付具Ｚは締結材２１Ｂｂを抜かずに作業をすることで、外側型枠取付具２０Ｂ及び内側型枠取付具１０Ｂを回転させる際に、外側型枠取付具２０Ｂと内側型枠取付具１０Ｂとが分離しないので作業性がよく、また、このとき、締結材２１Ｂｂが直接せき板Ｐに当たらないので回動させやすいという利点を有する。さらに、締結材２１Ｂｂがクリップ部材２１Ｂｂｂにより外側型枠取付具１０Ｂに係合できるので、型枠取付具Ｚを保管したり運搬したりするときに締結材２１Ｂｂをクリップ部２１Ｂｂｂにより外側型枠取付具１０Ｂに係合固定しておけば、無くなったり、作業時に探す事態を抑制することができる。
【００１８】
（実施形態４）
図８に実施形態４に係る型枠取付具Ｖの分解斜視図を示す。実施形態４に係る型枠取付具Ｖは実施形態２に係る型枠取付具Ｙにもっとも近い構造を有している。実施形態４に係る型枠取付具Ｖの実施形態２に係る型枠取付具Ｙとの相違点は、内側型枠取付具１０Ｃの締結受部１１Ｃの外周に狭持用雄ネジ１１Ｃｃが形成され、第一貫通孔、第二貫通孔および締結材が無い代わりに、外側型枠取付具２０Ｃにユニオンナット２１Ｃｅが設けられている点である。その他の点は実施形態２に係る型枠取付具Ｙと同一なので説明は省略する。
内側型枠取付具１０Ｃの締結受部１１Ｃは、外周外側端部に狭持用雄ネジ部１１Ｃｃが形成さ、第一貫通孔が無い点以外は、実施形態２に係る締結受部１１Ａと同様である。ユニオンナット２１Ｃｅは、締結受部１１Ｃに形成された狭持用雄ネジ部１１Ｃｃに係合するユニオンナットであり、外側端部側の開口が狭くなっている。胴部２２の内側端部には、ユニオンナット２１Ｃｅのこの狭くなった開口が通れず、かつ、ネジ山部分は通ることができるフランジ２１Ｃｄが固定されている。図９に、せき板Pを挟んで、内側型枠取付具１０Ｃの締結受部１１Ｃと、外側型枠取付具２０Ｃの被締結部２１Ｃとを係合させ、ユニオンナット２１Ｃｅを締結受け部１１Ｃ外周の狭持用雄ネジ部１１Ｃｃに係合させた状態の部分拡大縦断面図を示す。図に示すように、ユニオンナット２１Ｃｅと内側面狭持部１２とでせき板Ｐが狭持されており、ユニオンナット２１Ｃｅは外側面狭持部の役割も果たす。
【００１９】
以上のような構成を有する型枠取付具Ｖの使用方法は、実施形態１に係る型枠取付枠Ｘの使用方法とほぼ同様であるが、型枠組み立て工程において、第一貫通孔１１ａおよび第二貫通孔２１ａに締結材２１ｂを打ち込んで狭持固定状態とする代わりに締結受け部１１Ｃ外周の狭持用雄ネジ部１１Ｃｃにユニオンナット２１Ｃｅを係合させて狭持固定状態とし、また、狭持解放工程において、締結材２１ｂを外すか緩めることで狭持解放状態とする代わりに、ユニオンナット２１Ｃｅを緩めて狭持解放状態とする点が相違する。
型枠取付具Ｖは、狭持解放状態においてユニオンナット２１Ｃｅを狭持用雄ネジ部１１Ｃｃに係合させた状態で緩めることで、内側型枠取付具１０Ｃと外側型枠取付具２０Ｃとが分離しないので外側型枠取付具２０Ｂ及び内側型枠取付具１０Ｂを回転させる際の作業性がよい。
【図面の簡単な説明】
【００２０】
【図１】実施形態１に係る型枠取付具の分解斜視図である。
【図２】実施形態１に係る型枠取付具の内側型枠取付具と外側型枠取付具の締結部分を示す拡大縦断面図である。
【図３】実施形態２に係る型枠取付具の分解斜視図である。
【図４】実施形態２に係る型枠取付具の内側型枠取付具と外側型枠取付具の締結部分を示す拡大縦断面図である。
【図５】実施形態３に係る型枠取付具の分解斜視図である。
【図６】実施形態３に係る型枠取付具の内側型枠取付具と外側型枠取付具の締結部分を示す拡大縦断面図である。
【図７】図６のＡ−Ａ断面図である。
【図８】実施形態４に係る型枠取付具の分解斜視図である。
【図９】実施形態４に係る型枠取付具の内側型枠取付具と外側型枠取付具の締結部分を示す拡大縦断面図である。
【符号の説明】
【００２１】
Ｘ、Ｙ、Ｚ、Ｖ    型枠取付具
Ｐ  せき板
Ｐａ  取付穴
Ｓ  セパレータ
Ｔ  
１０、１０Ａ、１０Ｂ、１０Ｃ  内側面型枠取付具
１１、１１Ａ、１１Ｂ、１１Ｃ  締結受部
１１ａ、１１Ａｂ、１１Ｂａ  第一貫通孔
１１Ｃｃ  挟持用雄ネジ部
１２  内側面狭持部
１３  雌ネジ部
２０、２０Ａ、２０Ｂ、２０Ｃ  外側面型枠取付具
２１、２１Ａ、２１Ｂ、２１Ｃ  被締結部
２１ａ、２１Ａａ、２１Ｂａ  第二貫通孔
２１ｂ、２１Ｂｂ  締結材
２１Ｂｂａ  本体棒材
２１Ｂｂｂ  クリップ部
２１Ｃｅ  ユニオンナット
２２  胴部
２３  工具係合部
２４  端太材固定具
２５  外側面挟持部
【図１】
2010037933.tif 000003
【図２】
2010037933.tif 000004
【図３】
2010037933.tif 000005
【図４】
2010037933.tif 000006
【図５】
2010037933.tif 000007
【図６】
2010037933.tif 000008
【図７】
2010037933.tif 000009
【図８】
2010037933.tif 000010
【図９】
2010037933.tif 000011
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
以下の（１０１）から（１０８）の要件を満たすコンクリート型枠工法。
（１０１）内側型枠取付具と外側型枠取付具とを有する型枠取付具を用いる。
（１０２）前記内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。
（１０３）前記外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する。
（１０４）前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し、かつ、締結状態を維持しながら一体となって前記内側型枠取付具の雌ネジ部と前記型枠間隔保持具の雄ネジとが完全に離れるように回動し得るものである。
（１０５）型枠間隔保持具の雄ネジを前記雌ネジ部に係合させ、さらに、前記締結受部と、前記被締結部を前記取付穴を挟むように締結させ、前記内側面挟持部と外側面挟持部とにより前記せき板を挟んで前記挟持固定状態としながらコンクリート型枠を組み立てる型枠組み立て工程を有する。
（１０６）型枠組み立て工程の後で、コンクリート型枠にコンクリートを打設し、コンクリート躯体を形成するコンクリート打設工程を有する。
（１０７）コンクリート打設工程の後で、前記内側面狭持部と外側面狭持部とによる前記せき板への挟持力を緩めて前記挟持解放状態とする狭持解放工程を有する。
（１０８）狭持解放工程の後で、前記外側型枠取付具の工具係合部に前記所定の工具を係合させて、前記外側型枠取付具およびこれに係合している内側型枠取付具を、前記内側型枠取付具の雌ネジ部と前記型枠間隔保持具の雄ネジとが離れる方向に回動させることで、前記せき板を型枠取付具とともに取り外す型枠除去工程を有する。
【請求項２】
請求項１に記載のコンクリート型枠工法に用いられる型枠取付具であって、以下の（１０１）から（１０４）及び（２０１）から（２０３）の要件を有する。
（１０１）内側型枠取付具と外側型枠取付具とを有する型枠取付具を用いる。
（１０２）前記内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。
（１０３）前記外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する。
（１０４）前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し、かつ、締結状態を維持しながら一体となって前記内側型枠取付具の雌ネジ部と前記型枠間隔保持具の雄ネジとが完全に離れるように回動し得るものである。
（２０１）前記締結受部と前記被締結合部とのそれぞれには、両者の締結状態で重なり連通する第一貫通孔および第二貫通孔とが形成される。
（２０２）当該重なった第一貫通孔および第二貫通孔を貫き係合固定する締結材により前記締結受部と被締結部とは前記せき板に垂直な軸周りに互いに回動不能に締結する。
（２０３）当該締結材は、前記第一貫通孔および第二貫通孔を貫く、外側及び／又は内側に傾斜面を有するくさびにより形成される本体棒材と、本体棒材の基端側に固定される、弾性体により前記内側取付具又は外側取付具の一部に係合し、前記本体棒材が前記第一貫通孔および第二貫通孔を貫き、かつ、前記本体棒材を構成するくさびが緩んだ状態で前記本体棒材を保持するクリップ部材とから構成される。
【請求項３】
前記締結材の前記本体棒材は前記外側狭持部を兼ねるものである請求項２に記載の型枠取付具。
【請求項４】
請求項１に記載のコンクリート型枠工法に用いられる型枠取付具であって、以下の（１０１）から（１０４）及び（３０１）の要件を有する。
（１０１）内側型枠取付具と外側型枠取付具とを有する型枠取付具を用いる。
（１０２）前記内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。
（１０３）前記外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する。
（１０４）前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し、かつ、締結状態を維持しながら一体となって前記内側型枠取付具の雌ネジ部と前記型枠間隔保持具の雄ネジとが完全に離れるように回動し得るものである。
（３０１）前記締結受部と前記被締結部とは、いずれか一方が円形でない断面形状を持つ突部であり、他方が当該断面形状を有する穴部であることにより、前記せき板に垂直な軸周りに互いに回動不能に締結するものである。
【請求項５】
請求項１に記載のコンクリート型枠工法に用いられる型枠取付具であって、以下の（１０１）から（１０４）及び（４０１）から（４０３）の要件を有する。
（１０１）内側型枠取付具と外側型枠取付具とを有する型枠取付具を用いる。
（１０２）前記内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。
（１０３）前記外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する。
（１０４）前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し、かつ、締結状態を維持しながら一体となって前記内側型枠取付具の雌ネジ部と前記型枠間隔保持具の雄ネジとが完全に離れるように回動し得るものである。
（４０１）前記内側枠取付具の前記締結受部の外周位置には、前記せき板の取付孔からせき板の外面側に突出する狭持用雄ネジ部が形成される。
（４０２）前記外側枠取付具の前記胴部に当該狭持用雄ネジ部に係合する、前記外側面狭持部と一体に形成されるユニオンナットが固定される。
（４０３）当該狭持用雄ネジ部と当該ユニオンナットとを締結することで前記挟持固定状態となり、また、当該狭持用雄ネジ部と当該ユニオンナットとの締結を緩めることで、前記挟持解放状態となるものである。
【手続補正２】
【補正対象書類名】明細書
【補正対象項目名】０００４
【補正方法】変更
【補正の内容】
【０００４】
上記課題を解決するために、本発明は次のような構成を有する。
請求項１に記載の発明は、以下の（１０１）から（１０８）の要件を満たすコンクリート型枠工法である。
（１０１）内側型枠取付具と外側型枠取付具とを有する型枠取付具を用いる。
（１０２）前記内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。
（１０３）前記外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する。
（１０４）前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し、かつ、締結状態を維持しながら一体となって前記内側型枠取付具の雌ネジ部と前記型枠間隔保持具の雄ネジとが完全に離れるように回動し得るものである。
（１０５）型枠間隔保持具の雄ネジを前記雌ネジ部に係合させ、さらに、前記締結受部と、前記被締結部を前記取付穴を挟むように締結させ、前記内側面挟持部と外側面挟持部とにより前記せき板を挟んで前記挟持固定状態としながらコンクリート型枠を組み立てる型枠組み立て工程を有する。
（１０６）型枠組み立て工程の後で、コンクリート型枠にコンクリートを打設し、コンクリート躯体を形成するコンクリート打設工程を有する。
（１０７）コンクリート打設工程の後で、前記内側面狭持部と外側面狭持部とによる前記せき板への挟持力を緩めて前記挟持解放状態とする狭持解放工程を有する。
（１０８）狭持解放工程の後で、前記外側型枠取付具の工具係合部に前記所定の工具を係合させて、前記外側型枠取付具およびこれに係合している内側型枠取付具を、前記内側型枠取付具の雌ネジ部と前記型枠間隔保持具の雄ネジとが離れる方向に回動させることで、前記せき板を型枠取付具とともに取り外す型枠除去工程を有する。
なお、本願において「内側」とはせき板に取り付けたときに、コンクリートが打設される側であるせき板の内側に向かう方向を意味し、「外側」とは、せき板に取り付けたときに、せき板の外側に向かう方向を意味する。
【手続補正３】
【補正対象書類名】明細書
【補正対象項目名】０００５
【補正方法】変更
【補正の内容】
【０００５】
請求項２に記載の発明は、請求項１に記載のコンクリート型枠工法に用いられる型枠取付具であって、以下の（１０１）から（１０４）及び（２０１）から（２０３）の要件を有するものである。
（１０１）内側型枠取付具と外側型枠取付具とを有する型枠取付具を用いる。
（１０２）前記内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。
（１０３）前記外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する。
（１０４）前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し、かつ、締結状態を維持しながら一体となって前記内側型枠取付具の雌ネジ部と前記型枠間隔保持具の雄ネジとが完全に離れるように回動し得るものである。
（２０１）前記締結受部と前記被締結合部とのそれぞれには、両者の締結状態で重なり連通する第一貫通孔および第二貫通孔とが形成される。
（２０２）当該重なった第一貫通孔および第二貫通孔を貫き係合固定する締結材により前記締結受部と被締結部とは前記せき板に垂直な軸周りに互いに回動不能に締結する。
（２０３）当該締結材は、前記第一貫通孔および第二貫通孔を貫く、外側及び／又は内側に傾斜面を有するくさびにより形成される本体棒材と、本体棒材の基端側に固定される、弾性体により前記内側取付具又は外側取付具の一部に係合し、前記本体棒材が前記第一貫通孔および第二貫通孔を貫き、かつ、前記本体棒材を構成するくさびが緩んだ状態で前記本体棒材を保持するクリップ部材とから構成される。
請求項３に記載の発明は、請求項２に記載の型枠取付具において、前記締結材の前記本体棒材は前記外側狭持部を兼ねるものである。
【手続補正４】
【補正対象書類名】明細書
【補正対象項目名】０００６
【補正方法】変更
【補正の内容】
【０００６】
請求項４に記載の発明は請求項１に記載のコンクリート型枠工法に用いられる型枠取付具であって、以下の（１０１）から（１０４）及び（３０１）の要件を有するものである。
（１０１）内側型枠取付具と外側型枠取付具とを有する型枠取付具を用いる。
（１０２）前記内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。
（１０３）前記外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する。
（１０４）前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し、かつ、締結状態を維持しながら一体となって前記内側型枠取付具の雌ネジ部と前記型枠間隔保持具の雄ネジとが完全に離れるように回動し得るものである。
（３０１）前記締結受部と前記被締結部とは、いずれか一方が円形でない断面形状を持つ突部であり、他方が当該断面形状を有する穴部であることにより、前記せき板に垂直な軸周りに互いに回動不能に締結するものである。
請求項５に記載の発明は、請求項１に記載のコンクリート型枠工法に用いられる型枠取付具であって、以下の（１０１）から（１０４）及び（４０１）から（４０３）の要件を有するものである。
（１０１）内側型枠取付具と外側型枠取付具とを有する型枠取付具を用いる。
（１０２）前記内側型枠取付具は、貫通した穴である取付孔が形成されたせき板の内側面から当該取付孔を通りせき板の外側面に突出するように形成される締結受部と、前記締結受部に固定される前記せき板の内側面を支持する内側面挟持部と、この内側面挟持部の内側に形成される、型枠間隔保持具の雄ネジに係合する雌ネジ部とを有する。
（１０３）前記外側型枠取付具は、前記せき板の外側面から前記締結受部に締結する被締結部と、当該被締結部に固定される前記せき板の外側面を支持し前記内側面挟持部とともに前記せき板を挟持する外側面挟持部と、前記被締結部に固定される外側に延びる柱状の胴部と、当該胴部に形成される所定の工具が係合する工具係合部と、当該胴部に設けられる端太材を外側から内側に向かって押さえる所定の締結金具を固定する構造をもつ締結金具固定部とを有する。
（１０４）前記内側面狭持部と前記外側面狭持部とによる前記せき板の狭持は、狭持力を付与した状態で固定する狭持固定状態と、当該狭持力を緩めて狭持を解く狭持解放状態とに移行することができるものであって、当該狭持解放状態で、前記締結受部と被締結部とは前記せき板に垂直な軸周りに互いに回動不能に締結し、かつ、締結状態を維持しながら一体となって前記内側型枠取付具の雌ネジ部と前記型枠間隔保持具の雄ネジとが完全に離れるように回動し得るものである。
（４０１）前記内側枠取付具の前記締結受部の外周位置には、前記せき板の取付孔からせき板の外面側に突出する狭持用雄ネジ部が形成される。
（４０２）前記外側枠取付具の前記胴部に当該狭持用雄ネジ部に係合する、前記外側面狭持部と一体に形成されるユニオンナットが固定される。
（４０３）当該狭持用雄ネジ部と当該ユニオンナットとを締結することで前記挟持固定状態となり、また、当該狭持用雄ネジ部と当該ユニオンナットとの締結を緩めることで、前記挟持解放状態となるものである。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
請求項１に記載の発明は、端太材が取り付けられる外側型枠取付具と、型枠間隔保持具が取り付けられる内側型枠取付具とにより型枠のせき板を挟持固定し、コンクリートを打設しコンクリート躯体を形成した後の型枠解体工事において、端太材を取り外して、挟持解放状態とした後に、工具係合部に所定の工具を係合させて所定方向に回転させると、外側型枠取付具とこれに回動不能に締結している内側型枠取付具が回動して、内側型枠取付具の雌ネジ部が型枠間隔保持具の雄ネジから離れるように回転し、この結果、内側型枠取付具は型枠パネルを剥がす方向に移動することとなり、型枠取付具とともに型枠パネルをコンクリート躯体から引き剥がすことができる。即ち、型枠の解体作業時に、外側型枠取付具を回動させれば型枠取付具とともに型枠パネルをコンクリート躯体から引き剥がすことができるので、作業工程を簡易にすることができ、従来よりも少ない工程で型枠の解体作業を行うことができる。
【手続補正７】
【補正対象書類名】明細書
【補正対象項目名】０００９
【補正方法】変更
【補正の内容】
【０００９】
請求項２に記載の発明は、締結材により内側型枠取付具と外側型枠取付具とが分離しないので、外側型枠取付具を介して内側型枠取付具を回転させる際に作業性がよい。
また、締結材を外側及び／又は内側に傾斜面を有するくさびにより形成することで、締結材を入れる深さに応じて内側型枠取付具と外側型枠取付具とが近づく方向へ力を付与することができ、狭持力を増すことができる。
さらに、締結材にクリップ部材を設けることで締結材を安定して外側型枠取付具又は内側型枠取付具に固定することができる。また、型枠取付具を型枠から取り外して保管や運搬をする際に、締結材を外側型枠取付具又は内側型枠取付具に取り付けておくことができ、利便性が高い。
請求項３に記載の発明は、前記締結材が前記外側面狭持部を兼ねるので、別途外側面狭持部を設ける必要をなくすことができる。
【手続補正８】
【補正対象書類名】明細書
【補正対象項目名】００１０
【補正方法】変更
【補正の内容】
【００１０】
請求項４に記載の発明は、円形断面でない互いに係合する突部と穴部とにより係合することで前記締結受部と前記被締結部とを回動不能に締結させるので、締結材を用いる場合のように他の部材を要することなく、回動作業を行うことができる。また、外側型枠取付具を取り外した後でも、締結受部側の突部もしくは穴部に係合する工具があれば、内側型枠取付具を回動させて、型枠を取り外すことができる。
請求項５に記載の発明は、内側型枠取付具に形成される狭持用雄ネジ部に係合する、ユニオンナットが外側型枠取付具に設けられ、これが外側面狭持部と一体に形成されることで、内側型枠取付具と外側型枠取付具との締結時および解放時に、ユニオンナットは外側型枠取付具に固定されているので作業性がよい。